(57)【要約】【課題】昇降機かご内に発生し、防犯カメラの画像データのハードディスクへの書込みに支障をきたす振動を精度よく予知する昇降機用防犯カメラ装置を提供する。【解決手段】昇降機用防犯カメラ装置１は、建物のエレベータかご７内に取付けられた防犯カメラ８により撮影された画像を、画像データ圧縮部６を介して一時的にフラッシュメモリ３に記憶させ、画像データ書込み部４によりハードディスク５に書き込ませて記録する際に、エレベータかご７内に取付けられてかご内の音声を集音する集音マイク１１と、防犯カメラ８により撮影された画像と、集音マイク１１により集音された音声とからハードディスク５への画像データの書き込みに支障をきたす振動の発生を予知し、画像データ書込み部４に対してハードディスク５への画像の書込みを中止させる振動発生予知手段１０と、を備える。【選択図】図１
2011230869.tif 000002
【特許請求の範囲】
【請求項１】
建物の昇降機かご内に取付けられた防犯カメラにより撮影された画像を、画像データ圧縮部を介して一時的にメモリに記憶させ、画像データ書込み部によりハードディスクに書き込ませて記録する昇降機用防犯カメラ装置において、
かご内に取付けられてかご内の音声を集音する集音マイクと、
防犯カメラにより撮影された画像と、集音マイクにより集音された音声とからハードディスクへの画像データの書き込みに支障をきたす振動の発生を予知し、画像データ書込み部に対してハードディスクへの画像の書込みを中止させる振動発生予知手段と、を備えることを特徴とする昇降機用防犯カメラ装置。
【請求項２】
請求項１に記載の昇降機用防犯カメラ装置であって、振動発生予知手段は、防犯カメラに撮影された画像を解析し、かご内の乗客の暴れの発生を検出した場合には、画像データ書込み部に対してハードディスクへの画像の書込みを中止させることを特徴とする昇降機用防犯カメラ装置。
【請求項３】
請求項１又は２に記載の昇降機用防犯カメラ装置であって、振動発生予知手段は、集音マイクに集音された音声と、昇降機の無人走行時の音声パターンとを比較し、音声パターンに対する異常音を検出した場合には、画像データ書込み部に対してハードディスクへの画像の書込みを中止させることを特徴とする昇降機用防犯カメラ装置。
【請求項４】
請求項１乃至３のいずれか１に記載の昇降機用防犯カメラ装置であって、振動発生予知手段は、昇降機の制御部から昇降機の運行情報を受信し、ハードディスクへの画像データの書き込みに支障をきたす振動が発生する可能性のある運行状況では画像データ書込み部に対してハードディスクへの画像の書込みを中止させる特徴とする昇降機用防犯カメラ装置。
【請求項５】
請求項２乃至４のいずれか１に記載の昇降機用防犯カメラ装置であって、振動発生予知手段は、かご内の乗客の暴れの発生を検出した場合には、音声の記録ビットレートを上げることを特徴とする昇降機用防犯カメラ装置。
【発明の詳細な説明】
【技術分野】
【０００１】
本発明は、昇降機用防犯カメラ装置に係り、特に、建物の昇降機かご内に取付けられた防犯カメラにより撮影された画像を、画像データ圧縮部を介して一時的にメモリに記憶させ、画像データ書込み部によりハードディスクに書き込ませて記録する昇降機用防犯カメラ装置に関する。
【背景技術】
【０００２】
昇降機に搭載された防犯カメラは、ハードディスクを含む画像記録装置が昇降機かごの上部に設置されているため、昇降機の走行時、或いは乗客の乗降時に発生する振動により、データの書込みがおこなわれているハードディスクに損傷が生じる虞がある。
【０００３】
このため、防犯カメラにより撮影された画像データを一時的に記憶メモリに記録し、昇降機が停止中にハードディスクに画像データをコピーするという方法を採用するのが一般的である。
【０００４】
例えば、特許文献１には、ハードディスクの故障やデータ異常の発生を防止するエレベータ用防犯カメラシステムが開示されている。図２に、特許文献１のエレベータ用防犯カメラシステム２０の構成を示す。ここでは、防犯カメラ２８で撮影された画像は、画像記憶装置２２に送られ、画像データ圧縮回路２６により一時的にメモリ２３に記憶される。画像データ書込み手段２４は、エレベータ制御盤２９のエレベータ運転状況出力手段３２から、エレベータかご２７が停止状態であることを示すオン信号、或いはエレベータかご２７が走行中であることを示すオフ信号を受信し、エレベータかご２７が停止状態と判別した場合に、メモリ２３に記録されている画像データをハードディスク２５に書込み、エレベータかご２７が走行中と判別した場合には画像データの書込みを行わないようにすることが記載されている。
【０００５】
一方、特許文献１には、エレベータ制御盤２９のエレベータ運転状況出力手段３２からのエレベータかご２７の運行情報の代わりにエレベータかご２７に加速度計２１を配設し、この加速度計２１からの検出信号によりエレベータかご２７の振動を検知し、この検出信号に基づき画像データをハードディスク２５に書込むか否かを判別することが記載されている。
【先行技術文献】
【特許文献】
【０００６】
【特許文献１】特開２００６−１５１５８１号公報
【発明の概要】
【発明が解決しようとする課題】
【０００７】
エレベータ運転状況から昇降機かごが停止中と判別し、ハードディスクへの画像データの書込みを行なう方法では、昇降機かごが停止中に昇降機かご内に発生する乗客の暴れや昏倒などの振動発生要因に対しては対応することができないという問題がある。
【０００８】
また、加速度計により振動発生を検知する方法では、加速度計の設置場所によっては誤検知を招く虞があり、振動を感知した後にしかハードディスクへの保護ができず、更には、振動発生要因によっては加速度計が振り切れてしまうという問題がある。
【０００９】
本願の目的は、かかる課題を解決し、昇降機かご内に発生し、防犯カメラの画像データのハードディスクへの書込みに支障をきたす振動を精度よく予知する昇降機用防犯カメラ装置を提供することである。
【課題を解決するための手段】
【００１０】
上記目的を達成するため、本発明に係る昇降機用防犯カメラ装置は、建物の昇降機かご内に取付けられた防犯カメラにより撮影された画像を、画像データ圧縮部を介して一時的にメモリに記憶させ、画像データ書込み部によりハードディスクに書き込ませて記録する昇降機用防犯カメラ装置において、かご内に取付けられてかご内の音声を集音する集音マイクと、防犯カメラにより撮影された画像と、集音マイクにより集音された音声とからハードディスクへの画像データの書き込みに支障をきたす振動の発生を予知し、画像データ書込み部に対してハードディスクへの画像の書込みを中止させる振動発生予知手段と、を備えることを特徴とする。
【００１１】
上記構成により、昇降機用防犯カメラ装置は、昇降機かご内に発生する乗客の暴れや昏倒などの振動発生要因に対し、防犯カメラにより撮影された画像からハードディスクへの画像データの書き込みに支障をきたす振動の発生を予知することができる。例えば、かご内の乗客の異常な行動を検出した場合には振動が発生する可能性が高く、振動発生予知手段は、画像データ書込み部に対してハードディスクへの画像の書込みを中止させることができる。また、集音マイクにより拾われた音声からハードディスクへの画像データの書き込みに支障をきたす振動の発生を予知することができる。例えば、泥酔して大声を出している乗客が検出された場合には、振動が発生する可能性が高く、振動発生予知手段は、画像データ書込み部に対してハードディスクへの画像の書込みを中止させることができる。
【００１２】
すなわち、加速度計などのセンサーにより振動自体を検出するのではなく、画像や音声により振動の発生を事前に予測し、昇降機かご内に発生し、防犯カメラの画像データのハードディスクへの書込みに支障をきたす振動を精度よく予知することが可能になる。
【００１３】
また、昇降機用防犯カメラ装置は、振動発生予知手段が、防犯カメラに撮影された画像を解析し、かご内の乗客の暴れの発生を検出した場合には、画像データ書込み部に対してハードディスクへの画像の書込みを中止させることが好ましい。これにより、防犯カメラに撮影された画像を解析し、かご内の乗客の暴れの発生を検出する暴れ検知手段を採用することで、より精度の高い振動予知が可能となる。
【００１４】
また、昇降機用防犯カメラ装置は、振動発生予知手段が、集音マイクに集音された音声と、昇降機の無人走行時の音声パターンとを比較し、音声パターンに対する異常音を検出した場合には、画像データ書込み部に対してハードディスクへの画像の書込みを中止させることが好ましい。これにより、集音マイクに集音された音声情報と、昇降機の無人走行時の音声パターンとを比較し、音声パターンに対する異常音を検出することでより精度の高い振動予知が可能となる。例えば、昇降機のレールの歪みなどにより走行中に発生する異常音を検知することもできる。
【００１５】
また、昇降機用防犯カメラ装置は、振動発生予知手段は、昇降機の制御部から昇降機の運行情報を受信し、ハードディスクへの画像データの書き込みに支障をきたす振動が発生する可能性のある運行状況では画像データ書込み部に対してハードディスクへの画像の書込みを中止させることが好ましい。これにより、昇降機の運行情報も参照することでより精度の高い振動予知が可能となる。
【００１６】
また、昇降機用防犯カメラ装置は、振動発生予知手段が、かご内の乗客の暴れの発生を検出した場合には、音声の記録ビットレートを上げることが好ましい。これにより、乗客の暴れの証拠データとしての価値を高めることができる。
【発明の効果】
【００１７】
以上のように、本発明に係る昇降機用防犯カメラ装置によれば、昇降機かご内に発生し、防犯カメラの画像データのハードディスクへの書込みに支障をきたす振動を精度よく予知する昇降機用防犯カメラ装置を提供することができる。
【図面の簡単な説明】
【００１８】
【図１】本発明に係る昇降機用防犯カメラ装置の１つの実施形態の概略構成を示す説明図である。
【図２】従来の昇降機用防犯カメラ装置の概略構成を示す説明図である。図である。
【発明を実施するための形態】
【００１９】
以下に、図面を用いて本発明に係る昇降機用防犯カメラ装置の実施形態につき、詳細に説明する。
【００２０】
図１に、本発明に係る昇降機用防犯カメラ装置１の１つの実施形態の概略構成を示す。
【００２１】
昇降機用防犯カメラ装置１は、昇降機かごであるエレベータかご７、及びエレベータかご７の上部に設置された画像記憶装置２から構成される。また、この画像記憶装置２は、画像データ圧縮部６、フラッシュメモリ３、画像データ書込み部４、ハードディスク５、及び振動発生予知手段１０から構成される。そして、エレベータかご７の天井からは、エレベータかご７内を撮影する防犯カメラ８、及びエレベータかご７内の音声を集音する集音マイク１１が設置される。
【００２２】
エレベータ制御部９には、エレベータの運行情報を出力するエレベータ運行情報出力部１２が設置され、例えば、エレベータかご７が停止しているか、走行中であるかなどの情報を出力する。このエレベータ運行情報出力部１２からのエレベータかご７の運行情報は、画像記憶装置２の振動発生予知手段１０へ出力される。
【００２３】
建物のエレベータかご７内に取付けられた防犯カメラ８により撮影された画像は、画像データ圧縮部６で圧縮処理が行われ、一時的にフラッシュメモリ３に記憶される。すなわち、エレベータかご７に搭載された画像記憶装置２のハードディスク５は、エレベータの走行時や乗客の乗降時などに発生する振動により損傷し易い。そこで、一時的に不揮発性のフラッシュメモリ３への代替記憶を行い、エレベータかご７が停止中に画像データ書込み部４を動作させてハードディスク５に画像データをコピーする。
【００２４】
振動発生予知手段１０は、防犯カメラ８により撮影された画像と、集音マイク１１により拾われた音声とからハードディスク５への画像データの書き込みに支障をきたす振動の発生を予知し、画像データ書込み部４に対してハードディスク５への画像の書込みを中止させる。例えば、エレベータかご７に乗客が乗車している場合であっても、エレベータかご７が停止している状態では、ハードディスク５への画像データの書き込みに支障をきたす振動は発生しない場合が多いが、エレベータかご７内の乗客の、例えば、暴れだす、或いは倒れ始めるなどの異常な行動が防犯カメラ８により検知された場合には、振動発生予知手段１０は、ハードディスク５への画像データの書き込みに支障をきたす振動の発生を予知し、画像データ書込み部４に対してハードディスク５への画像の書込みを中止させる。また、エレベータかご７内の乗客の、例えば、喚きだす、或いは泣き出すなどの異常な音声が集音マイク１１により集音された場合には、振動発生予知手段１０は、ハードディスク５への画像データの書き込みに支障をきたす振動の発生を予知し、画像データ書込み部４に対してハードディスク５への画像の書込みを中止させる。
【００２５】
また、振動発生予知手段１０は、防犯カメラ８に撮影された画像を解析し、エレベータかご７内の乗客の暴れの発生を検出した場合には、画像データ書込み部４に対してハードディスク５への画像の書込みを中止させる。すなわち、振動発生予知手段１０は、所定の時間間隔に撮影された２つの画像を比較し、エレベータかご７内の人物が大きく変化する場合にはエレベータかご７内の乗客の暴れが発生したものと認識する。そして、画像データ書込み部４に対してハードディスク５への画像の書込みを中止させる。
【００２６】
また、振動発生予知手段１０は、集音マイク１１に集音された音声情報と、エレベータかご７の無人走行時の音声パターンとを比較し、音声パターンに対する異常音を検出した場合には、画像データ書込み部４に対してハードディスク５への画像の書込みを中止させる。例えば、振動発生予知手段１０は、エレベータのレールの歪みや油切れなどによるエレベータ走行時の異常音を音声パターンのマッチングにより検出し、映像だけでは検出できない振動が発生するポイントをマーキングする。
【００２７】
振動発生予知手段１０は、エレベータ制御部９のエレベータ運行情報出力部１２からエレベータかご７の運行情報を受信し、ハードディスク５への画像データの書き込みに支障をきたす振動が発生する可能性のある運行状況では画像データ書込み部４に対してハードディスク５への画像の書込みを中止させる。すなわち、エレベータかご７が走行中である場合、乗客の乗降時には、振動が発生する可能性が高いため画像データ書込み部４に対してハードディスク５への画像の書込みを中止させる。
【００２８】
振動発生予知手段１０は、エレベータかご７内の乗客の暴れの発生を検出した場合には、音声の記録ビットレートを上げる。これにより、乗客の暴れの証拠データとしての価値を高めることができる。
【符号の説明】
【００２９】
１  昇降機用防犯カメラ装置、２，２２  画像記憶装置、３  フラッシュメモリ、４  画像データ書込み部、５，２５  ハードディスク、６  画像データ圧縮部、７，２７  エレベータかご、８，２８  防犯カメラ、９  エレベータ制御部、１０  振動発生予知手段、１１  集音マイク、１２  エレベータ運行情報出力部、２０  エレベータ用防犯カメラシステム、２１  加速度計、２３  メモリ、２４  画像データ書込み手段、２６  画像データ圧縮回路、２９  エレベータ制御盤、３２  エレベータ運転状況出力手段。
【図１】
2011230869.tif 000003
【図２】
2011230869.tif 000004